(57)【要約】【課題】  カメラを含む周辺装置の動作を利用者の要望に合わせて制御できるようにし、情報の受け方を一時的に変えたいという要望にも応えることができる来訪者情報管理技術を実現することを目的とする。【解決手段】  周辺装置４により得た情報を利用者の端末装置５に提供する来訪者情報管理システムにおける来訪者情報管理装置３について、利用者の端末装置５から周辺装置４の動作条件及び利用者の端末装置５の起動条件を受信する条件情報受信部、動作条件に基づいて周辺装置４の動作条件を設定して、これを周辺装置４に送信する動作条件設定部、起動条件に基づいて利用者の端末装置５の起動条件を設定する起動条件設定部、周辺装置４から周辺装置情報を受信する周辺装置情報受信部、起動条件を満たすように周辺装置情報を利用者の端末装置５に送信する周辺情報送出部を設置する。【選択図】  図１
2007067478.tif 000002
【特許請求の範囲】
【請求項１】
周辺装置により得た情報を利用者の端末装置に提供する来訪者情報管理システムにおける来訪者情報管理装置であって、
前記利用者の端末装置から前記周辺装置の動作条件及び該利用者の端末装置の起動条件を受信する条件情報受信部と、
前記動作条件に基づいて前記周辺装置の動作条件を設定して、これを該周辺装置に送信する動作条件設定部と、
前記起動条件に基づいて前記利用者の端末装置の起動条件を設定する起動条件設定部と、
前記周辺装置から周辺装置情報を受信する周辺装置情報受信部と、
前記起動条件を満たすように前記周辺装置情報を前記利用者の端末装置に送信する周辺情報送出部と、を有することを特徴とする来訪者情報管理装置。
【請求項２】
前記動作条件設定部は前記周辺装置から受信する周辺装置情報が前記動作条件を満たしているかを判断することを特徴とする請求項１に記載の来訪者情報管理装置。
【請求項３】
前記周辺装置情報を前記利用者の端末装置に送信した後に、該利用者の端末装置からさらなる周辺装置情報の要求及び該情報の検索条件を前記条件情報受信部が受信し、
前記受信した周辺装置情報から、前記検索条件に該当するものを検索する周辺装置情報検索部を有し、
前記周辺情報送出部は前記検索された周辺装置情報を前記利用者の端末装置に送信することを特徴とする請求項１又は２に記載の来訪者情報管理装置。
【請求項４】
前記周辺装置は、監視カメラを少なくとも含むことを特徴とする請求項１〜３いずれかに記載の来訪者情報管理装置。
【請求項５】
周辺装置により得た情報を利用者の端末装置に提供する来訪者情報管理システムにおける来訪者情報管理装置を用いた来訪者情報管理方法であって、
条件情報受信部が、前記利用者の端末装置から前記周辺装置の動作条件及び該利用者の端末装置の起動条件を受信する条件情報受信ステップと、
動作条件設定部が、前記動作条件に基づいて前記周辺装置の動作条件を設定して、これを該周辺装置に送信する動作条件設定ステップと、
起動条件設定部が、前記起動条件に基づいて前記利用者の端末装置の起動条件を設定する起動条件設定ステップと、
周辺装置情報受信部が、前記周辺装置から周辺装置情報を受信する周辺装置情報受信ステップと、
周辺情報送出部が、前記起動条件を満たすように前記周辺装置情報を前記利用者の端末装置に送信する周辺情報送出ステップと、を有することを特徴とする来訪者情報管理方法。
【請求項６】
前記動作条件設定部は前記周辺装置から受信する周辺装置情報が前記動作条件を満たしているかを判断する周辺装置情報確認ステップを実施することを特徴とする請求項５に記載の来訪者情報管理方法。
【請求項７】
前記周辺装置情報を前記利用者の端末装置に送信した後に、該利用者の端末装置からさらなる周辺装置情報の要求及び該情報の条件を前記条件情報受信部が受信する追加条件情報受信ステップと、
周辺装置情報検索部が、前記受信した周辺装置情報から、前記検索条件に該当するものを検索する周辺装置情報検索ステップと、
前記周辺情報送出部は前記検索された周辺装置情報を前記利用者の端末装置に送信する追加周辺装置情報送信ステップと、有することを特徴とする請求項５又は６に記載の来訪者情報管理方法。
【請求項８】
前記周辺装置は、監視カメラを少なくとも含むことを特徴とする請求項５〜７いずれかに記載の来訪者情報管理方法。
【発明の詳細な説明】
【技術分野】
【０００１】
本発明は、カメラを含む周辺装置の動作を利用者の要望に合わせて制御し、情報の受け方の要望にも応えることができる来訪者情報管理技術に関する。
【背景技術】
【０００２】
従来、不正侵入者を含む訪問者に関わる情報を取得し、取得した情報をユーザに通知するシステムが開示されている。このシステムにおいて、情報の取得については、ドアフォンや窓等の開閉を検知するセンサさらにはカメラ等を置き、これらを制御する制御装置が、ドアフォンが動作したこと、窓等の開閉センサが動作したことを検知すると、ドアや窓の近傍を撮影するために監視カメラを作動させて、静止画又は動画で撮影した画像を蓄積する。そしてこれらの情報をユーザへ通知するために、制御装置が、開閉センサ等が動作したことをユーザに通知する。通知を受けたユーザはあらためて制御装置に接続する。制御装置はユーザの端末装置として予め登録された端末装置であるかどうかの認証を行い、認証できると蓄積した撮影画像を送信する。ユーザは端末装置に表示された撮影画像を見ることにより、窓等を開閉したのは同居家族であるか、正当な訪問者であるか、不正侵入者であるかを判断することができる。不正侵入者である場合は家屋等に置いた警報音発生部を制御し警報音を発生させ近所に聞こえるようにする等を行う（例えば、特許文献１参照。）。
【０００３】
また別のシステムとしては、建物の所定の位置にカメラを含むいくつかのセンサを設置するものがある。このシステムでは、設置したセンサの出力をデジタルデータに変換してパソコンに蓄積する。そしてパソコンに蓄積したデジタルデータを、予め決められた時刻になったとき、又はデジタルデータが予め決められた値に対して変化が生じたときにインターネットを介してサーバ装置に送出する。サーバ装置ではセキュリティ情報として蓄積する。ユーザへの通知では、デジタルデータを予め決められた値に対して変化が生じたことで送出するときに、本デジタルデータを利用者に通知する必要があることをあらわす端末通知要求を通知先（メールアドレス）とともに送出することにより、サーバ装置が一緒に送られてきたデジタルデータをユーザの端末装置にメールの添付ファイルとして送出するものがある（例えば、特許文献２参照。）。
【特許文献１】特開２００５−０７１０６４号公報
【特許文献２】特開２００３−０２３６７８号公報
【発明の開示】
【発明が解決しようとする課題】
【０００４】
しかしながら上記従来のシステムでは、情報の取得にあっては、例えば監視カメラの作動はセンサが動作することが条件になる。したがって、センサは動作していないが、ある時間帯に家の前にどんな人が通るか見てみたいという要望には応えられない。
【０００５】
また、後者の例では、カメラを時間帯を区切って作動させるような制御ができないため、常に作動していることになり、活用するあてのないデータのために資源を無駄に使うことになる。即ちカメラを含む周辺装置を利用者の要望に合わせてきめこまかに制御することができないものである。
【０００６】
また、取得した情報をユーザに通知することにあっては、いずれの例でも、例えばドアフォンが動作したときはユーザに知らせることにすると予め決めると、それが継続することになる。これは、知らせてほしくない時間帯があっても一時的に通知を止めることができず、また知らせる先を一時的に変えたいという要望にも応えることができないものである。
【０００７】
そこで、上記の問題を解決し、カメラを含む周辺装置の動作を利用者の要望に合わせて制御できるようにし、情報の受け方を一時的に変えたいという要望にも応えることができる来訪者情報管理技術を実現することを目的とする。
【課題を解決するための手段】
【０００８】
そこで上記課題を解決するために、請求項１に記載の発明は、周辺装置により得た情報を利用者の端末装置に提供する来訪者情報管理システムにおける来訪者情報管理装置であって、前記利用者の端末装置から前記周辺装置の動作条件及び該利用者の端末装置の起動条件を受信する条件情報受信部と、前記動作条件に基づいて前記周辺装置の動作条件を設定して、これを該周辺装置に送信する動作条件設定部と、前記起動条件に基づいて前記利用者の端末装置の起動条件を設定する起動条件設定部と、前記周辺装置から周辺装置情報を受信する周辺装置情報受信部と、前記起動条件を満たすように前記周辺装置情報を前記利用者の端末装置に送信する周辺情報送出部と、を有することを特徴とする。
【０００９】
なお、周辺装置情報は、利用者が所望する場所、対象物等の映像情報、インターホン等の操作情報、その他のある対象物への来訪者に関する情報を用いることができる。
【００１０】
また、請求項２に記載の発明は、前記動作条件設定部は前記周辺装置から受信する周辺装置情報が前記動作条件を満たしているかを判断することを特徴とする。
【００１１】
また、請求項３に記載の発明は、前記周辺装置情報を前記利用者の端末装置に送信した後に、該利用者の端末装置からさらなる周辺装置情報の要求及び該情報の検索条件を前記条件情報受信部が受信し、前記受信した周辺装置情報から、前記検索条件に該当するものを検索する周辺装置情報検索部を有し、前記周辺情報送出部は前記検索された周辺装置情報を前記利用者の端末装置に送信することを特徴とする。
【００１２】
また、請求項４に記載の発明は、前記周辺装置は、監視カメラを少なくとも含むことを特徴とする。
【００１３】
また、請求項５に記載の発明は、周辺装置により得た情報を利用者の端末装置に提供する来訪者情報管理システムにおける来訪者情報管理装置を用いた来訪者情報管理方法であって、条件情報受信部が、前記利用者の端末装置から前記周辺装置の動作条件及び該利用者の端末装置の起動条件を受信する条件情報受信ステップと、動作条件設定部が、前記動作条件に基づいて前記周辺装置の動作条件を設定して、これを該周辺装置に送信する動作条件設定ステップと、起動条件設定部が、前記起動条件に基づいて前記利用者の端末装置の起動条件を設定する起動条件設定ステップと、周辺装置情報受信部が、前記周辺装置から周辺装置情報を受信する周辺装置情報受信ステップと、周辺情報送出部が、前記起動条件を満たすように前記周辺装置情報を前記利用者の端末装置に送信する周辺情報送出ステップと、を有することを特徴とする。
【００１４】
また、請求項６に記載の発明は、前記動作条件設定部は前記周辺装置から受信する周辺装置情報が前記動作条件を満たしているかを判断する周辺装置情報確認ステップを実施することを特徴とする。
【００１５】
また、請求項７に記載の発明は、前記周辺装置情報を前記利用者の端末装置に送信した後に、該利用者の端末装置からさらなる周辺装置情報の要求及び該情報の条件を前記条件情報受信部が受信する追加条件情報受信ステップと、周辺装置情報検索部が、前記受信した周辺装置情報から、前記検索条件に該当するものを検索する周辺装置情報検索ステップと、前記周辺情報送出部は前記検索された周辺装置情報を前記利用者の端末装置に送信する追加周辺装置情報送信ステップと、有することを特徴とする。
【００１６】
また、請求項８に記載の発明は、前記周辺装置は、監視カメラを少なくとも含むことを特徴とする。
【００１７】
請求項１及び５に記載の発明では、利用者の端末装置から受信した動作条件に基づいて周辺装置から周辺装置情報を取得し、利用者の端末装置から受信した起動条件に基づいて周辺装置情報を利用者の端末装置に送信する。
【００１８】
請求項２及び６に記載の発明では、動作条件を満たす周辺装置情報のみを受信して蓄積することが可能である。
【００１９】
請求項３及び７に記載の発明では、利用者の端末装置に送信した周辺装置情報により、さらなる情報が必要と利用者が判断したときに、追加周辺装置情報を取得することが可能である。
【発明の効果】
【００２０】
請求項１〜８に記載の発明によれば、周辺装置の動作、及び利用者の端末装置の情報受信について利用者が条件を設定することが可能となる。
【発明を実施するための最良の形態】
【００２１】
図１は、来訪者情報管理システムの構成図である。図１に示すように来訪者情報管理システムは通信ネットワーク１、来訪者情報管理装置３、周辺装置４、利用者の端末装置５ａ、５ｂ（どの利用者の端末装置であるかを特定しないときは利用者の端末装置５と称する。以下同様）、外部機関の受付装置６を有して構成される。
【００２２】
来訪者情報管理装置３、利用者の端末装置５ａ、５ｂ、及び外部機関の受付装置６は通信ネットワーク１に接続され、周辺装置４は来訪者情報管理装置３に接続されている。なお来訪者情報管理装置３は通信機能を持ったＰＣ（Ｐｅｒｓｏｎａｌ  Ｃｏｍｐｕｔｅｒ）などであり、周辺装置４はインターホン、監視カメラ、及び各種センサを総称するものである。
【００２３】
次に来訪者情報管理システムにおけるサービスの概要について説明する。
【００２４】
図２は、来訪者情報管理システムにおけるサービスを説明する図である。図２において、来訪者情報管理システムの構成要素として、通信ネットワークとしてのインターネット網１、来訪者情報管理装置３、周辺装置４としてインターホン、監視カメラ及びセンサ、利用者の端末装置５ａ、５ｂ、並びに外部機関として警察、若しくは警備会社６が示されている。
【００２５】
利用者は利用者の端末装置５を用いて、周辺装置４をどう動作させるか、例えばインターホンのカメラを時間を決めて監視カメラとして使う等の動作条件を来訪者情報管理装置３に伝える(Ｓ１)。
【００２６】
また情報の受け方について、例えば通常は利用者の端末装置５ａで受けるが今日のこの時間帯だけは利用者の端末装置５ｂで受けたい等の利用者の端末装置５の起動条件を来訪者情報管理装置３に伝える（Ｓ２）。
【００２７】
来訪者情報管理装置３が動作条件にもとづいて動作条件を設定することにより、周辺装置４は設定された動作条件にもとづいて動作し、例えばインターホンのカメラが監視カメラとしてドア付近を撮影し、また来訪者がボタンを操作すると操作したことを周辺装置情報として来訪者情報管理装置３に伝える（Ｓ３）。
【００２８】
来訪者情報管理装置３は周辺装置情報を蓄積し（Ｓ４）、さらに来訪者のあったことを起動条件として設定した利用者の端末装置に通知することにより（Ｓ５）、利用者は来訪者のあったことを知ることができる。
【００２９】
さらに詳しい情報がほしいときは映像等の追加情報を来訪者情報管理装置３から取得することができる（Ｓ６）。
【００３０】
その結果不審者と判断した場合は警察又は警備会社等の外部機関６に通知・通報を行うこととなる（Ｓ７）。
【００３１】
次に本システムにおける構成装置の機能及び構成装置間の接続について説明する。
【００３２】
図３は、図１のシステムにおける構成装置の機能例及び構成装置間の接続例を示す図である。
【００３３】
図３に示すように来訪者情報管理装置３は、条件情報受信部３１、動作条件設定部３２、起動条件設定部３３、周辺装置情報受信部３４、情報制御部３５、周辺装置情報蓄積部３６、周辺装置情報送出部３７、及び周辺装置情報検索部３８を有する。
【００３４】
条件情報受信部３１は動作条件情報及び起動条件情報を含む情報を受信する条件情報受信手段を有する。
【００３５】
動作条件設定部３２は動作条件情報にもとづき周辺装置ごとにインタフェースに合わせて動作を設定する動作条件設定手段を有する。
【００３６】
起動条件設定部３３は起動条件情報に基づき周辺装置情報の通知先を管理する起動条件設定手段を有する。
【００３７】
周辺装置情報受信部３４は周辺装置４から送出される情報を受信する周辺装置情報受信手段を有する。
【００３８】
情報制御部３５は情報の制御を行う情報制御手段を有する。
【００３９】
周辺装置情報蓄積部３６は周辺装置情報を蓄積する周辺装置情報蓄積手段を有する。
【００４０】
周辺装置情報送出部３７は起動条件設定部３３が管理する周辺装置情報の通知先にインタフェースを合わせて周辺装置情報を送出する周辺装置情報送出手段を有する。
【００４１】
周辺装置情報検索部３８は利用者の端末装置５から送出される周辺装置情報の検索により周辺装置情報蓄積部３６に蓄積した周辺装置情報を動作条件を参照して検索することを含めて検索する周辺装置情報検索手段を有する。
【００４２】
なお、条件情報受信部３１は、通信ネットワーク１を通して利用者の端末装置５から動作条件及び起動条件を受信することができることを含むものである。
【００４３】
また、動作条件設定部３２は、試験モードを持ち、試験モードにより周辺装置４が動作し送出した周辺装置情報を受信した周辺装置情報受信部３４は、正常性を確認することを含むものである。
【００４４】
周辺装置４は、インターホン、監視カメラ及び各種センサなどである。
【００４５】
利用者の端末装置５は、携帯電話、固定電話及び通信機能を持ったＰＣなどである。
【００４６】
外部機関の受付装置６は、警察及び警備会社などに置かれた受付装置である。
【００４７】
次に来訪者情報管理装置３の条件情報受信部３１の受信情報に基づき動作条件設定部３２及び起動条件設定部３３が行う処理について図面を用いて説明する。
【００４８】
図４は、周辺装置としてインターホンを例にした動作条件設定部３２及び起動条件設定部３３の処理の説明図である。
【００４９】
図４の動作条件（１）は、カメラを監視カメラとして使うために時間を８時から９時までと指定し映像を撮影するよう設定した場合である。
【００５０】
動作条件（２）は、カメラの動作をイベント対応にした例であり、全員が外出したこと及び誰かが帰宅したことを利用者が知り、利用者の端末装置５から状況を伝えることにより映像を撮影する場合である。
【００５１】
動作条件（３）は、（４２）に示すように故障を装うためにチャイムを鳴らさないよう設定した場合である。
【００５２】
起動条件（１ａ）は、利用者の端末装置５ａでカメラの撮影映像が見られる（監視）ように設定し、（１ｂ）は、ボタンが操作されたら知らせてもらうように設定し、（１ｃ）は、受信不可の時間帯を設定した場合であり、この間にボタンが操作されたら、(４３)に示すように受信不可の時間帯を過ぎてから何時何分に来訪者があったことを知らせるように設定した場合である。
【００５３】
（２ａ）は、利用者の端末装置５ｂでイベント対応で撮影した映像が見られる（監視）ように設定した例である。
【００５４】
なお、受信不可の時間設定はインターホンについて行い、例えば、火災報知機が動作した場合等は即座に通報がされるように設定するべきである。
【００５５】
次に来訪者情報管理装置３の構成について説明する。
【００５６】
図５は、来訪者情報管理装置３の構成例を示す図である。なお図３に示したものと同一又は同等な構成要素については同一の符号を当てるものとし、詳細な説明については省略する。
【００５７】
来訪者情報管理装置３は、条件情報受信部３１、動作条件設定部３２、起動条件設定部３３、周辺装置情報受信部３４、情報制御部３５、周辺装置情報蓄積部３６、周辺装置情報送出部３７、及び周辺装置情報検索部３８を有して構成される。
【００５８】
次に来訪者情報管理装置３の動作を説明する。
【００５９】
図６は来訪者情報管理装置３の動作例を示すシーケンスチャートである。図６は周辺装置４、来訪者情報管理装置３、利用者の端末装置５、及び外部機関の受付装置６の間のシーケンスである。
【００６０】
図６において、利用者の端末装置５は来訪者管理装置３に対して周辺装置４の動作条件及び利用者の端末装置５の起動条件を送出する（Ｓ２１、Ｓ２２）。
【００６１】
来訪者情報管理装置３の条件情報受信部３１は動作条件及起動条件を認証して受信する（Ｓ２３）。
【００６２】
動作条件設定部３２は動作条件を設定してこれを周辺装置４に送信する（Ｓ２４）。
【００６３】
起動条件設定部３３は起動条件を設定する（Ｓ２５）。
【００６４】
周辺装置４は動作条件に基づいて動作し、来訪者情報管理装置３に情報を送信する（Ｓ２６）。
【００６５】
来訪者情報管理装置３の周辺装置情報受信部３４は周辺装置４から情報を受信する（Ｓ２７）。
【００６６】
情報制御部３５は周辺装置情報蓄積部３６に情報を蓄積するように制御する（Ｓ２８）。
【００６７】
情報制御部３５は周辺装置情報について起動条件設定部３３で管理する起動条件との参照を行い（Ｓ２９）、起動条件に該当する周辺装置情報を該当する利用者の端末装置５に通知する（Ｓ３０）。
【００６８】
利用者の端末装置５はこの通知を受信して（Ｓ３１）、さらなる周辺装置情報をとる場合は来訪者情報管理装置３に接続する（Ｓ３２）。
【００６９】
来訪者情報管理装置３の周辺装置情報検索部３８は認証し受信し（Ｓ３３）、情報制御部３５が周辺装置情報蓄積部３６を動作条件を参照して検索することを含めて検索し該当する周辺装置情報を利用者の端末装置５に送出する（Ｓ３４）。なお、利用者の端末装置５から検索条件を受信して、この検索条件に基づいて検索することが可能である。またこの際に、新たに動作条件及び起動条件を設定することが可能である。
【００７０】
利用者の端末装置５は周辺装置情報を受信し（Ｓ３５）、利用者が不審者と判断すると外部機関の受付装置６に通報する（Ｓ３６）。
【００７１】
また、Ｓ２４、及び／又はＳ２５では、通信ネットワーク１を通して利用者の端末装置５から入力された情報により設定することを含むものである。
【００７２】
また、Ｓ２４では、試験モードを持ち、試験モードにより周辺装置４が動作し送出した周辺装置情報をＳ２７において正常性の確認を行うことを含むものである。
【００７３】
このように、上記来訪者情報管理システムによれば、カメラを含む周辺装置の動作を利用者の要望に合わせて制御できるようになり、情報の受け方を一時的に変えたいという要望にも応えることができる。
【図面の簡単な説明】
【００７４】
【図１】来訪者情報管理システムの構成図。
【図２】来訪者情報管理システムのサービスの概要を説明する図。
【図３】来訪者情報管理システムの構成装置の機能例及び構成装置間の接続例を示す図。
【図４】動作条件設定部及び起動条件設定部の処理の説明図。
【図５】来訪者情報管理装置の構成例を示す図。
【図６】来訪者情報管理装置３の動作例を示すシーケンスチャート。
【符号の説明】
【００７５】
１  通信ネットワーク
３  来訪者情報管理装置
４  周辺装置
５  利用者の端末装置
６  外部機関の受付装置
３１  条件情報受付部
３２  動作条件設定部
３３  起動条件設定部
３４  周辺装置情報受信部
３５  情報制御部
３６  周辺装置情報蓄積部
３７  周辺装置情報送出部
３８  周辺装置情報検索部
【図１】
2007067478.tif 000003
【図２】
2007067478.tif 000004
【図３】
2007067478.tif 000005
【図４】
2007067478.tif 000006
【図５】
2007067478.tif 000007
【図６】
2007067478.tif 000008